(57)【要約】【課題】カメラや小型ＴＶを別に購入するのではなく、スマートフォン等の携帯端末をそれらの代わりで本格的に使用する者も増えている。従って、携帯端末をカメラや小型ＴＶとしても本格的に使用できるように、附属品を提供する。【解決手段】底部５と側部７とで構成され、正面視略Ｌ字状の保持枠３と、保持枠３の底部５の下面側に設けられた脚部取付用ネジ孔と、保持枠３の側部７の外面に板面が対向するよう配された姿勢調整板２３と、姿勢調整板２３に対して回動及び上下動により保持枠３の姿勢を変更する姿勢変更手段とを備え、スマートフォンＳを保持した状態で、ネジ孔をカメラの三脚に取り付けた雄ネジに螺合させて固定すれば、三脚の操作で種々の角度の写真やグループ全員の写真を撮ったりでき、カメラ機能を本格的に楽しむことができる。また、保持枠３を傾斜させれば、テーブル等に置いて長時間のＴＶ視聴を楽しむことができる。【選択図】        図１
0003178581.tif 000002
【実用新案登録請求の範囲】
【請求項１】
底部と側部とで構成され、正面視略Ｌ字状の保持枠と、前記保持枠の底部の下面側に設けられた脚部取付用ネジ孔と、前記保持枠の側部の外面に板面が対向するよう配された姿勢調整板と、前記姿勢調整板に対して回動及び上下動により前記保持枠の姿勢を変更する姿勢変更手段とを備え、
前記保持枠に携帯端末を保持させたときに、前記保持枠を回動により傾斜させても、その底部の縁と、前記姿勢調整板の下縁とを載置面に当てて安定的に載置できることを特徴とする携帯端末用スタンド。
【請求項２】
請求項１に記載した携帯端末用スタンドにおいて、
姿勢変更手段は、姿勢調整板に形成された、上下方向に長い長穴と、前記長穴に通したボルトとその相方のナットとでなり、いずれか一方が前記姿勢調整板に固定された締結具とで構成されていることを特徴とする携帯端末用スタンド。
【請求項３】
請求項１または２に記載した携帯端末用スタンドにおいて、
姿勢調整板には所定の角度で傾斜した縁が設けられており、保持枠の側部の縁をその傾斜した縁に合わせることで、前記保持枠を当該所定の角度で傾斜した姿勢にできることを特徴とする携帯端末用スタンド。
【請求項４】
請求項１から３のいずれかに記載した携帯端末用スタンドにおいて、
保持枠には、携帯端末の保持側に溝部が形成され、前記溝部の凹底面には緩衝材が敷かれていることを特徴とする携帯端末用スタンド。
【考案の詳細な説明】
【技術分野】
【０００１】
本考案は携帯端末用スタンドに係り、特にカメラや小型ＴＶとして使用するのにそれぞれに適した状態で携帯端末を設置できる携帯端末用スタンドに関するものである。
【背景技術】
【０００２】
携帯電話機を代表例とする携帯端末は年々高性能になっており、スマートフォンのような多機能機種では、通信機能だけでなく、高性能のカメラやＴＶ機能が標準装備されている。
そのため、カメラや小型ＴＶを別に購入するのではなく、このような携帯端末をそれらの代わりで本格的に使用したいとの要望が出ている。
【先行技術文献】
【特許文献】
【０００３】
【特許文献１】特開２０１１−１５７００１号公報
【考案の概要】
【考案が解決しようとする課題】
【０００４】
特許文献１に示すように、携帯端末を立たせた状態で保持するスタンド等は既に提案されている。
而して、カメラは三脚等の脚部に取り付けて撮影できるようになっている。また、小型ＴＶはテーブル等に置いたときに斜め上方からディスプレイを見るようにすると見易い。
しかしながら、従来の携帯端末用スタンドでは、携帯端末を同じようには設置することはできない。
本考案は上記従来の問題点に着目して為されたものであり、携帯端末をカメラや小型ＴＶとしても本格的に使用できるようにした、新規且つ有効な携帯端末用スタンドを提供することを、その目的とする。
【課題を解決するための手段】
【０００５】
本考案は上記課題を解決するためになされたものであり、請求項１の考案は、底部と側部とで構成され、正面視略Ｌ字状の保持枠と、前記保持枠の底部の下面側に設けられた脚部取付用ネジ孔と、前記保持枠の側部の外面に板面が対向するよう配された姿勢調整板と、前記姿勢調整板に対して回動及び上下動により前記保持枠の姿勢を変更する姿勢変更手段とを備え、前記保持枠に携帯端末を保持させたときに、前記保持枠を回動により傾斜させても、その底部の縁と、前記姿勢調整板の下縁とを載置面に当てて安定的に載置できることを特徴とする携帯端末用スタンドである。
【０００６】
請求項２の考案は、請求項１に記載した携帯端末用スタンドにおいて、姿勢変更手段は、姿勢調整板に形成された、上下方向に長い長穴と、前記長穴に通したボルトとその相方のナットとでなり、いずれか一方が前記姿勢調整板に固定された締結具とで構成されていることを特徴とする携帯端末用スタンドである。
【０００７】
請求項３の考案は、請求項１または２に記載した携帯端末用スタンドにおいて、姿勢調整板には所定の角度で傾斜した縁が設けられており、保持枠の側部の縁をその傾斜した縁に合わせることで、前記保持枠を当該所定の角度で傾斜した姿勢にできることを特徴とする携帯端末用スタンドである。
【０００８】
請求項４の考案は、請求項１から３のいずれかに記載した携帯端末用スタンドにおいて、保持枠には、携帯端末の保持側に溝部が形成され、前記溝部の凹底面には緩衝材が敷かれていることを特徴とする携帯端末用スタンドである。
【考案の効果】
【０００９】
本考案のスタンドにスマートフォン等の携帯端末を保持させれば、カメラ撮影のときに、三脚等の既存の脚部に取り付けることもできれば、ＴＶ視聴しようとテーブル等に置いたときに、目線を斜め下方を向けてディスプレイを楽に見れるように調整することもできる。
【図面の簡単な説明】
【００１０】
【図１】本考案の実施の形態に係る携帯端末用スタンドを姿勢調整板側から見た状態を示す斜視図である。
【図２】図１の携帯端末用スタンドを保持枠側から見た状態を示す斜視図である。
【図３】図１の携帯端末用スタンドの分解斜視図である。
【図４】図１の携帯端末用スタンドの下面図である。
【図５】図１の携帯端末用スタンドの姿勢調整板側から見た保持枠の回動状態を示す側面図である。
【図６】図１の携帯端末用スタンドをカメラ用の三脚に取り付ける前と取り付けた後の状態を示す斜視図である。
【図７】図１の携帯端末用スタンドを、ＴＶ視聴用に調整した状態を示す斜視図である。
【考案を実施するための形態】
【００１１】
本考案の実施の形態に係る携帯端末用スタンド１を図面にしたがって説明する。
ここでの携帯端末は、カメラ機能とＴＶ機能を備えたスマートフォンＳを想定している。
図１、図２に示すように、携帯端末用スタンド１は、保持枠３と姿勢調整板２３とを、ボルトナット締結により組み合わせて一体化したものであり、以下、図３にしたがって各部材を説明する。
符号３は保持枠を示し、この保持枠３の本体は矩形平板状の底部５と側部７とで構成されている。底部５と側部７は、短辺寸法が同じで長辺寸法は底部５の方が大きくなっている。底板５の一短辺側に側部７の下縁９が合わされており、側部７は底板５と直角を為すように立ち上がっている。従って、図１の矢印に示す正面側からは、略Ｌ字状に見える。また、側部７の上部の二箇所の角部には、手前側の丸角部１１を含めて両方とも丸みが付けられて丸角部になっている。
【００１２】
保持枠３には、保持側（図２で全て見える側）に、一対の壁条部１３、１３が平行に並んだ状態で設けられている。一対の壁条部１３、１３は底部５から側部７にわたって長手方向に連続して延びており、正面側からは略Ｌ字状に見える。壁条部１３、１３どうしの距離は一定になっており、この一対の壁条部１３、１３で作られた溝部の間が凹底面１５となっている。
符号１７は、緩衝材としてのフェルトシートを示し、このフェルトシート１７は上記した凹底面１５上に敷かれている。
【００１３】
底部５や側部７の長手寸法は、必要以上に大きくならないように考慮されており、市販されている各種スマートフォンＳを横長に立たせた姿勢で収まるか、少しはみ出す程度に設定されている。
また、凹底面１５の幅寸法は、各種スマートフォンＳを一対の壁条部１３、１３の間に若干の余裕を持って差し込める程度に設定されているが、壁条部１３の高さ寸法は、各種スマートフォンＳのディスプレイＤの縁の高さに近くなるよう、最大限大きく設定されているので、差し込んだ状態ではスマートフォンＳは殆ど傾かない。
【００１４】
底部５、側部７および一対の壁条部１３、１３は一体に成形された樹脂成形品である。
側部７の外面側には雄ネジ１９が取り付けられており、この雄ネジ１９は外方を向いている。
図４に示すように、底部５の下面側にネジ孔２１が形成されている。
【００１５】
符号２３は姿勢調整板を示し、この姿勢調整板２３は薄い平板状を為した樹脂成形品である。姿勢調整板２３は矩形板を上側で山状に切欠いた形状をしており、その下縁２５は水平になっているが、手前側が急傾斜縁２７で、奥側が緩傾斜縁２９になっている。図５に示すように、この急傾斜縁２７と緩傾斜縁２９は略直角を為しており、頂部３１には丸みが付けられている。急傾斜縁２７は傾斜角度（θ）が略７０°になっている。
姿勢調整板２３には上下方向に長い長穴３３が形成されており、この長穴３３は上記した雄ネジ１９が遊嵌できる大きさに設定されている。
符号３５はワッシャを、符号３７はナットをそれぞれ示す。
【００１６】
次に、上記した部材の組立て手順を示す。
保持枠３の側部７の外面側から突出した雄ネジ１９を姿勢調整板２３の長穴３３に通して、側部７と姿勢調整板２３の板面どうしが対応するよう配する。この状態では、姿勢調整板２３に対して保持枠３は側部７側の雄ネジ１９を支点として回動可能になっていると共に、姿勢調整板２３の長穴３３の上下方向の長さ分だけ上下動可能になっている。
保持枠３を上記した移動可能範囲内で動かして所望の姿勢にした後で、雄ネジ１９をワッシャ３５に通した後に、ナット３７で締結する。
雄ネジ１９と、ワッシャ３５及びナット３７とで締結具が構成されており、この締結具での上記した締結により、姿勢調整板２３に対して保持枠３の側部７に取り付けられて、保持枠３の姿勢が固定される。
【００１７】
図５は、保持枠３の代表的な姿勢の例である。
図５（１）は、保持枠３はその底部５側が水平になった水平姿勢で姿勢調整板２３に取り付けられており、その側部７の下縁９が姿勢調整板２３の下縁２５と面一になって現われている。このときには、雄ネジ１９は姿勢調整板２３の長穴３３の下縁と当っている。
図５（２）は、保持枠３はその底部５が斜めに持ち上がった傾斜姿勢で姿勢調整板２３に取り付けられており、側部７の傾斜角度（α）が７０°になっているので、側部７の丸角部１１が姿勢調整板２３の頂部３１に合致し、丸角部１１を挟んだ二辺側が姿勢調整板２３の急傾斜縁２７と緩傾斜縁２９とにそれぞれ合致して、面一になっており、底部５の長辺側の縁６が姿勢調整板２３の下縁２５と同じ面上にある。このときには、雄ネジ１９は姿勢調整板２３の長穴３３の上縁と当っている。
【００１８】
上記したように、保持枠３は姿勢調整板２３と縁を合わせることで、水平姿勢と７０°の傾斜姿勢については簡単に調整することができるようになっている。
携帯端末用スタンド１は、図５（１）の場合は、姿勢調整板２３の下縁２５と、保持枠３の底部５が面一で平らになっているのに対して、図５（２）の場合は、保持枠３の底部５が傾斜しているが、姿勢調整板２３の下縁２５と、保持枠３の底部５の長辺側の一方の縁６は同一面上にあるので、下縁２５と縁６がその全長に当って保持枠３を支持できる。従って、図５（１）、（２）のいずれに示す姿勢でも、保持枠３は倒れたりせず、壁条部１３、１３の間に差し込んだスマートフォンＳを安定的に保持できる。
【００１９】
上記したように組立てた携帯端末用スタンド１に、図１に示すように、スマートフォンＳを立たせた状態で保持させる。具体的には、スマートフォンＳを保持枠３の一対の壁条部１３、１３に差し込み、底部５側だけでなく、側部７側の凹底面１５にも当てて立たせる。凹底部１５にはフェルトシート１７が敷かれているので、スマートフォンＳは傷が付き難くなっている。図１は、スマートフォンＳを横長で立たせた状態を示しているが、縦長で立たせても問題ない。また、保持枠３を傾斜させた場合でも、スマートフォンＳは一対の壁条部１３、１３で底部５と側部７から二次元的に規制されているので、一対の壁条部１３、１３内を摺動する角度まで傾斜させない限りは、保持枠３に保持される。
【００２０】
次に、携帯端末用スタンド１の使用例を示す。
図６は、スマートフォンＳをカメラとして使用した例であり、カメラの既存の三脚Ｆを利用して撮影をする場合を想定している。
三脚Ｆの上面からは取り付け用に雄ネジＮが出ており、この雄ネジＮを保持枠３の底部５の下面側に形成したネジ孔２１に螺合させて締結する。
携帯端末用スタンド１は、保持枠３が図５（１）に示す水平姿勢になっており、スマートフォンＳを縦長に立たせているので、カメラと同じ向きで三脚Ｆに取り付けたことになる。
三脚ＦにスマートフォンＳを取り付けているので、三脚Ｆを操作して、野外で種々な角度で風景等の写真を撮ったり、セルフタイマーで友人、家族等のグループ全員や一人の写真を撮ったりして、カメラ機能を本格的に楽しむことができる。
【００２１】
図７は、スマートフォンＳをＴＶとして使用した例である。
携帯端末用スタンド１は、保持枠３が図５（２）に示すように、７０°の傾斜姿勢になっており、平均的な高さのテーブルＴの上に載置すれば、目線を斜め下方に向けてディスプレイＤを楽に見ることができ、長時間の視聴用にも利用できる。
【００２２】
以上、本考案の実施の形態について詳述してきたが、具体的構成は、この実施の形態に限られるものではなく、本考案の要旨を逸脱しない範囲における設計の変更などがあっても考案に含まれる。
例えば、携帯端末は、スマートフォンに限定されず、ＰＤＡ等でもよい。
また、製作し易さを考慮して、保持枠３の側部７側に雄ネジ１９が設けられているが、側部７側にナットを設けてもよい。
【産業上の利用可能性】
【００２３】
本考案の携帯端末用スタンドは、携帯端末の附属品製造業において産業上の利用可能性を有する。
【符号の説明】
【００２４】
１…携帯端末用スタンド          ３…保持枠
５…（保持枠の）底部              ６…（底部の）長辺側縁
７…（保持枠の）側部              ９…（側部の）下縁
１１…丸角部                      １３…壁条部
１５…凹底面                      １７…フェルトシート
１９…雄ネジ                      ２１…ネジ孔
２３…姿勢調整板                  ２５…（姿勢調整板の）下縁
２７…（姿勢調整板の）急傾斜縁    ２９…（姿勢調整板の）緩傾斜縁
３１…（姿勢調整板の）頂部        ３３…（姿勢調整板の）長穴
３５…ワッシャ                    ３７…ナット
θ…（姿勢調整板の）急傾斜縁の傾斜角度
α…（保持枠の）傾斜姿勢の角度
Ｓ…スマートフォン                  Ｄ…（スマートフォンの）ディスプレイ
Ｆ…三脚                            Ｎ…（三脚の）雄ネジ
【図１】
0003178581.tif 000003
【図２】
0003178581.tif 000004
【図３】
0003178581.tif 000005
【図４】
0003178581.tif 000006
【図５】
0003178581.tif 000007
【図６】
0003178581.tif 000008
【図７】
0003178581.tif 000009